(57)【要約】【課題】カバー部材を簡単かつ迅速に取り付けることができるようにした背板へのカバーの取付構造を提供する。【解決手段】カバー部材１３を、背板９の前面を覆う伸縮性の素材からなる前カバー１４と、前カバーの上部背面に取り付けられ、前カバーの上部との間に、下方に向かって開口する上部袋部１６ａを形成する後上部カバー１６と、前カバーの下部背面に取り付けられ、前カバーの下部との間に、上方に向かって開口する下部袋部１７ａを形成する後下部カバー１７とを備えるものとし、カバー部１３材を、前カバー１４が背板９の前面を覆うようにして上部袋部１６ａを背板９の上部に、かつ下部袋部１７ａを背板９の下部に、それぞれ被嵌させる。【選択図】      図５
2008119248.tif 000002
【特許請求の範囲】
【請求項１】
椅子における背板に、その前面を覆うカバー部材を取り付ける取付構造であって、
前記カバー部材が、背板の前面を覆う伸縮性の素材からなる前カバーと、前カバーの上部背面に取り付けられ、前カバーの上部との間に、下方に向かって開口する上部袋部を形成する後上部カバーと、前記前カバーの下部背面に取り付けられ、前カバーの下部との間に、上方に向かって開口する下部袋部を形成する後下部カバーとを備え、前記カバー部材を、前カバーが背板の前面を覆うようにして、上部袋部を背板の上部に、かつ下部袋部を背板の下部に、それぞれ被嵌させたことを特徴とする椅子における背板へのカバーの取付構造。
【請求項２】
後上部カバーにおける前カバーとの対向面に、可撓性の補強プレートを取り付けた請求項１記載の椅子における背板へのカバーの取付構造。
【請求項３】
後下部カバーの上縁部に、左右方向に収縮する収縮性部材を取り付けた請求項１または２記載の椅子における背板へのカバーの取付構造。
【請求項４】
前カバーの左右両側部を後方に折り返して、折り返し部を設け、この折り返し部と前カバーとの間に、上下方向を向く可撓性の補強プレートを取り付けた請求項１〜３のいずれかに記載の椅子における背板へのカバーの取付構造。
【請求項５】
前カバーの後面を覆う裏打ち材の周縁部を、前カバーに逢着し、前記前カバーと裏打ち材との間に形成された袋状部内に、クッションパッドを設けた請求項１〜４のいずれかに記載の椅子における背板へのカバーの取付構造。
【請求項６】
裏打ち材の一部に、長孔状の開口を設けることにより、前カバーと裏打ち材との間に、後上部カバーおよび後下部カバーを挟み、かつ前記前カバーの外側面にクッションパッドを配設し、それらの周縁部を縫合した後、それらを前記開口を通して表裏反転させて製造しうるようにした請求項５記載の椅子における背板へのカバーの取付構造。
【請求項７】
開口を、裏打ち材における、後上部カバーと後下部カバーとのいずれかにより覆われる部分に設けた請求項６記載の椅子における背板へのカバーの取付構造。
【発明の詳細な説明】
【技術分野】
【０００１】
本発明は、椅子における背板へのカバーの取付構造に関する。
【背景技術】
【０００２】
事務用椅子には、背板を合成樹脂の成形体により形成し、これをそのままの状態で椅子に取り付けたり、またはその前面をカバー部材により覆うことによって、同一仕様の製品であっても、カバーの有無や、カバーの色彩または模様の違いにより、多くの製品バリエーションを確保できるようにしたものがある。
【０００３】
この種のものとしては、例えば特許文献１または２に記載されているようなものがある。
【０００４】
特許文献１に記載されているものは、カバー部材が、背板（背シェル）の前面を覆う前カバーと、前カバーの上部に、前カバーとの間に下方が開口する上部袋部を形成するように取付けた後上部カバーと、前カバーの下部に硬質の芯材を有する被係合部とを備え、上部袋部に背板の上部を嵌合し、被係合部を背板の下部前面に設けた係合部に嵌合することにより、背板前面にカバー部材を取付けるようにしたものである。また、特許文献２にも、上記特許文献１と類似する取付構造が記載されている。
【特許文献１】米国特許６４９９８１０号公報。
【特許文献２】特開２００３−２２５１３９号公報
【発明の開示】
【発明が解決しようとする課題】
【０００５】
しかし、上記のような従来のものにおいては、背板にカバー部材の下部を取付けるための係合部を設けておく必要があり、カバーの有無を含む背板単体の意匠を設計する上で、上記係合部を避けたデザインを設計しなければならず、このため、デザイン上の制約が生ずる欠点がある。
【０００６】
本発明は、従来の技術が有する上記のような問題に鑑み、係合部を設けることなく、カバー部材を簡単かつ迅速に取り付けることができるようにすることにより、背板の意匠設計を自由に行え、しかも、背板を、カバー部材装着用のものと、非装着用のものとに共通して使用することができるようにした背板へのカバーの取付構造を提供することを目的としている。
【課題を解決するための手段】
【０００７】
本発明によると、上記課題は次のようにして解決される。
（１）椅子における背板に、その前面を覆うカバー部材を取り付ける取付構造において、前記カバー部材が、背板の前面を覆う伸縮性の素材からなる前カバーと、前カバーの上部背面に取り付けられ、前カバーの上部との間に、下方に向かって開口する上部袋部を形成する後上部カバーと、前記前カバーの下部背面に取り付けられ、前カバーの下部との間に、上方に向かって開口する下部袋部を形成する後下部カバーとを備え、前記カバー部材を、前カバーが背板の前面を覆うようにして、上部袋部を背板の上部に、かつ下部袋部を背板の下部に、それぞれ被嵌させる。
【０００８】
（２）上記(１)項において、後上部カバーにおける前カバーとの対向面に、可撓性の補強プレートを取り付ける。
【０００９】
（３）上記(１)または(２)項において、後下部カバーの上縁部に、左右方向に収縮する収縮性部材を取り付ける。
【００１０】
（４）上記(１)〜(３)項のいずれかにおいて、前カバーの左右両側部を後方に折り返して、折り返し部を設け、この折り返し部と前カバーとの間に、上下方向を向く可撓性の補強プレートを取り付ける。
【００１１】
（５）上記(１)〜(４)項のいずれかにおいて、前カバーの後面を覆う裏打ち材の周縁部を、前カバーに逢着し、前記前カバーと裏打ち材との間に形成された袋状部内に、クッションパッドを設ける。
【００１２】
（６）上記(５)項において、裏打ち材の一部に、長孔状の開口を設けることにより、前カバーと裏打ち材との間に、後上部カバーおよび後下部カバーを挟み、かつ前記前カバーの外側面にクッションパッドを配設し、それらの周縁部を縫合した後、それらを前記開口を通して表裏反転させて製造しうるようにする。
【００１３】
（７）上記(６)項において、開口を、裏打ち材における、後上部カバーと後下部カバーとのいずれかにより覆われる部分に設ける。
【発明の効果】
【００１４】
本発明によると、次のような効果を奏することができる。
請求項１記載の発明によると、背板に係合部を設けることなく、カバー部材の取付が簡単かつ迅速にできるとともに、背板自体の造形の自由度が増し、自由な意匠設計が可能となる。
【００１５】
請求項２記載の発明によると、後上部カバーにおける前カバーとの対向面に、可撓性の補強プレートを取り付けてあるので、この補強プレートにより、後上部カバーは、背板から外れにくくなるとともに、後上部カバーの皺の発生を防止することができ、背板の背面形状に沿った造形性を得ることができる。
【００１６】
請求項３記載の発明によると、後下部カバーの上縁部に、左右方向に収縮する収縮性部材を取り付けてあるので、この収縮性部材により、後下部カバーが背板から外れにくくなるとともに、後下部カバーの上縁部の垂れ下がりを防止し、後下部カバーを背板にフィットさせることができる。
【００１７】
請求項４記載の発明によると、両側部の補強プレートにより、前カバーが左右方向に収縮するのを防止し、前カバーに張りを与えることができる。
【００１８】
請求項５記載の発明によると、カバーによる外観的な見栄えだけでなく、クッション性も得られる。
【００１９】
請求項６記載の発明によると、縫合部の周囲が、反転させられることにより、前後カバーの内側に隠されるため、見栄えがよくなる。
【００２０】
請求項７記載の発明によると、開口が、後上部カバーまたは後下部カバーにより覆われて、外部に露呈しないので、体裁がよい。
【発明を実施するための最良の形態】
【００２１】
図１〜図８は、本発明の第１の実施形態を備えた椅子を示す。
図１および図２に示すように、椅子１は、先端にキャスタ２を備え、かつ放射状の配置とした５本の脚杆３と、全脚杆３の放射状の中心部に立設した脚柱４と、脚柱４の上端に設けた支基５と、支基５上に取り付けられた座板６と、支基５の両側面に取り付けられ、かつ座板６の左右両側方を通って起立する１対の肘掛７と、同じく支基５の両側面に取り付けられ、かつ後上方に延出した後、座板６の後方で所定の傾斜角をなして立上がり、かつ上端同士が連結部８ａにより一体に連結された左右１対の背凭れフレーム８と、背凭れフレーム８に着脱可能に固定された背板９とを備えている。
【００２２】
支基５は、座板６および肘掛７の高さ調整機能や、背板９に荷重が加わった場合におけるクッション調整機能および背板９の前後傾角度を調節するための機能などを備えている。
【００２３】
背板９は、合成樹脂の成形体からなり、その前面は、図３(ｂ)に示すように、椅子に座る人の標準体型の背面曲線に応じて、側面視においてやや下部が前方に突出するほぼく字形に形成されるとともに、平面視において、中央が後方へ凹入する形状に形成され、さらには、外周縁を除くほぼ全面に、図３(ａ)に示すように、多数の縦長の開口１０が、所定の繰返しパターンで設けられている。
【００２４】
背板９は、その後面における両側上下部に設けた連結部１２を、背凭れフレーム８の前面における両側上下部に設けた被連結部１１に連結することにより、背凭れフレーム８の前面に、着脱可能として取り付けられている。
この連結部１２と被連結部１１との連結構造は、本発明には直接関係しないので、詳細な説明は省略する。
【００２５】
図４〜図７に示すように、背板９の前面を覆うカバー部材１３は、背板９の前面を覆う伸縮性の素材からなる前カバー１４と、前カバー１４の後面を覆うとともに、周縁部が前カバー１４の周縁部に逢着(その縫着部を符号Ａをもって示す)された裏打ち材１５と、裏打ち材１５の上部背面を覆うようにして、上縁と両側縁とが上記縫着部Ａの上部において、前カバー１４および裏打ち材１５に逢着され、裏打ち材１５の上部との間に、下方に向かって開口する上部袋部１６ａを形成する後上部カバー１６と、裏打ち材１５の下部背面を覆うようにして、下縁と両側縁とが上記縫着部Ａの下部において、前カバー１４および裏打ち材１５に逢着され、裏打ち材１５の下部との間に、上方に向かって開口する下部袋部１７ａを形成する後下部カバー１７とを備えている。
【００２６】
後上部カバー１６における裏打ち材１５との対向面には、可撓性の補強プレート１８が取り付けられ、後下部カバー１７の上縁部には、左右方向に収縮する、ゴムひも１９等からなる収縮性部材が取り付けられ、また前カバー１４と裏打ち材１５との間に形成された袋状部内には、クッションパッド２０が配設されている。
【００２７】
前カバー１４、裏打ち材１５、後上部カバー１６、および後下部カバー１７は、布地、人工または天然皮革などから構成される伸縮性のシート素材からなり、適宜の色彩、模様および肌触りなどの触感を得られる素材から選択するのが好ましい。
【００２８】
補強プレート１８は、背板９の背面上部の外形に沿ってカットされた合成樹脂製のシート、または薄板状のものとするのがよい。
【００２９】
ゴムひも１９は、平ゴムその他の収縮性部材と交換してもよい。
【００３０】
クッションパッド２０は、軽量軟質の発泡ウレタンなどの弾性および撓曲性に富んだ素材から構成されるものであり、予め背板９の前面形状に応じた曲面に成形されている。なお、このクッションパッド２０および上記補強プレート１８は、各カバー１４、１６、１７および裏打ち材１５の縫製しろを確保するため、それぞれの外形よりやや小さめに形成されている。
しかし、それらとほぼ同形として、縫着部Ａにおいて他の部材とともに逢着して実施することもできる。
【００３１】
図４に示すように、カバー部材１３は、前カバー１４が背板９の前面を覆うようにして、上部袋部１６ａを背板９の上部に、かつ下部袋部１７ａを背板９の下部に、それぞれ被嵌させることにより、背板９に簡単かつ迅速に装着することができる。
【００３２】
裏打ち材１５の下部における後下部カバー１７により覆われる部分には、横長の開口１５ａが設けられている。
この開口１５ａを設けることにより、図８に示すような製造方法が可能となる。
すなわち、図８(ａ)に示すように、前カバー１４と裏打ち材１５との間に、後上部カバー１６および後下部カバー１７を上下に離間させて挟み、かつ前カバー１４の外側面に、クッションパッド２０を、必要に応じて接着剤等により接着して配設し、図８(ｂ)に示すように、前カバー１４と裏打ち材１５と後上部カバー１６と後下部カバー１７との外周縁(クッションパッド２０の外周縁も含めてもよい)を縫着し、その後、図８(ｃ)に示すように、それらを、開口１５ａを通して表裏反転させる。
【００３３】
すると、図５〜図７に示すように、縫合部Ａの縫合しろが、反転させられることにより、すべてカバー部材１３の内側に配設させられて、外部に露呈することがなく、美麗な外観のカバー部材１３を製造することができる。
【００３４】
図９は、本発明の第２の実施形態を示す。なお、第１の実施形態におけるのと同一の部材には同一の符号を付し、異なる部材にのみ異なる符号を付して、説明する。
この例では、前カバー１４の左右両側部を後方に折り返して、折り返し部２１を設け、この折り返し部２１と裏打ち材１５(クッションパッド２０と裏打ち材１５とを省略する場合は、前カバー１４)との間に、上下方向を向く可撓性の補強プレート２２を取り付けてある。
【００３５】
こうすることによって、カバー部材１３を、背板９に装着したとき、両側部の補強プレート２２により、前カバー１４が左右方向に収縮するのを防止することができ、前カバー１４に張りを与えることができる。
【００３６】
本発明は、上記の実施形態のみに制限されるものではなく、特許請求の範囲を逸脱しない範囲で、変形した態様での実施が可能である。
例えば、クッションパッド２０を必要としないときは、クッションパッド２０と裏打ち材１５とを省略して実施することもできる。
【図面の簡単な説明】
【００３７】
【図１】本発明の第１の実施形態を備えた椅子の側面図である。
【図２】背板を外した状態の椅子分解斜視図である。
【図３】(ａ)、(ｂ)は、背板の正面図および側面図である。
【図４】カバー部材を背板に装着するときの状態を示す、斜め後ろから見た斜視図である。
【図５】カバー部材を背板に装着したときの上部の拡大縦断側面図である。
【図６】同じく、下部の拡大縦断側面図である。
【図７】同じく、中位部の拡大横断平面図である。
【図８】(ａ)、(ｂ)、(ｃ)は、カバー部材の一組立手順を示す斜視図である。
【図９】本発明の第２の実施形態におけるカバー部材を、斜め後ろから見た斜視図である。
【符号の説明】
【００３８】
１  事務用椅子
２  キャスタ
３  脚杆
４  脚柱
５  支基
６  座板
７  肘掛
８  背凭れフレーム
９  背板
１０  開口
１１  被連結部
１２  連結部
１３  カバー部材
１４  前カバー
１５  裏打ち材
１５ａ開口
１６  後上部カバー
１６ａ上部袋部
１７  後下部カバー
１７ａ下部袋部
１８  補強プレート
１９  ゴムひも(収縮性部材)
２０  クッションパッド
２１  折り返し部
２２  補強プレート
Ａ  縫着部
【図１】
2008119248.tif 000003
【図２】
2008119248.tif 000004
【図３】
2008119248.tif 000005
【図４】
2008119248.tif 000006
【図５】
2008119248.tif 000007
【図６】
2008119248.tif 000008
【図７】
2008119248.tif 000009
【図８】
2008119248.tif 000010
【図９】
2008119248.tif 000011